(57)【要約】【課題】簡易で、かつ、セキュリティの高い認証を行うことのできる情報配信システムを提供することである。【解決手段】オーディオ機器１は、初回接続時に、ネットワーク９を介してデータサーバ５に自己の技能情報を送信し、応答してデータサーバ５から送られる機器ＩＤを受信して記憶する。また、通信端末３は、仮登録要求時に、無線基地局等を経由して、データサーバ５にて公開される登録ページにアクセスし、利用者に入力される個人情報をデータサーバ５に送信する。そして、応答してデータサーバ５から送られるユーザＩＤ及びパスワードを含んだ電子メールを受信する。オーディオ機器１は、仮登録後の接続時に、利用者に入力されるユーザＩＤ及びパスワードと、自己が記憶する技能情報及び機器ＩＤとをデータサーバ５に送信して、本登録を要求する。【選択図】　図１
2004126267.tif 000002
【特許請求の範囲】
【請求項１】
通信装置とサーバとが第１の通信経路を介して接続され、オーディオ機器と該サーバとが第２の通信経路を介して接続された情報配信システムであって、
前記通信装置は、
利用者の個人情報を入力し、入力した個人情報を、前記第１の通信経路を介して前記サーバに送信して仮登録を要求し、応答して前記サーバから返信される利用者識別情報及び暗証情報を受信し、
前記オーディオ機器は、
自己を識別するための機器識別情報を取得し、前記通信装置にて受信された利用者識別情報及び暗証情報を入力し、取得した機器識別情報と、入力した利用者識別情報及び暗証情報とを、前記第２の通信経路を介して前記サーバに送信して本登録を要求し、
前記サーバは、
前記通信装置から送られる個人情報を、前記第１の通信経路を介して受信して仮登録し、受信した個人情報に対応する利用者識別情報及び暗証情報を生成し、生成した利用者識別情報及び暗証情報を、前記第１の通信経路を介して前記通信装置に返信し、前記オーディオ機器から送られる機器識別情報、利用者識別情報及び暗証情報を、前記第２の通信経路を介して受信し、受信した利用者識別情報及び暗証情報と、生成した利用者識別情報及び暗証情報との一致を判別し、仮登録した個人情報を本登録する、
ことを特徴とする情報配信システム。
【請求項２】
通信装置とサーバとが第１の通信経路を介して接続され、オーディオ機器と該サーバとが第２の通信経路を介して接続された情報配信システムであって、
前記通信装置は、
利用者の個人情報を入力する個人情報入力手段と、
前記個人情報入力手段が入力した個人情報を、前記第１の通信経路を介して前記サーバに送信することにより仮登録を要求する個人情報送信手段と、
前記個人情報送信手段が送信した個人情報に応答して前記サーバから返信される利用者ＩＤ及びパスワードを、前記第１の通信経路を介して受信するＩＤ・パスワード受信手段と、を備え、
前記オーディオ機器は、
自己を識別するための機器ＩＤを取得する取得手段と、
前記ＩＤ・パスワード受信手段が受信した利用者ＩＤ及びパスワードを入力するＩＤ・パスワード入力手段と、
前記取得手段が取得した機器ＩＤと、前記ＩＤ・パスワード入力手段が入力した利用者ＩＤ及びパスワードとを、前記第２の通信経路を介して前記サーバに送信することにより本登録を要求する情報送信手段と、を備え、
前記サーバは、
前記個人情報送信手段から送られる個人情報を、前記第１の通信経路を介して受信する個人情報受信手段と、
前記個人情報受信手段が受信した個人情報に対応する利用者ＩＤ及びパスワードを生成する生成手段と、
前記生成手段が生成した利用者ＩＤ及びパスワードを、前記第１の通信経路を介して前記通信装置に返信する返信手段と、
前記情報送信手段から送られる機器ＩＤ、利用者ＩＤ及び、パスワードを、前記第２の通信経路を介して受信する情報受信手段と、
前記情報受信手段が受信した利用者ＩＤ及びパスワードと、前記返信手段が返信した利用者ＩＤ及びパスワードとの一致を判別し、前記個人情報受信手段が受信した個人情報及び、前記情報受信手段が受信した各情報を本登録済みの情報として記憶する記憶手段と、を備える、
ことを特徴とする情報配信システム。
【請求項３】
前記オーディオ機器は、
前記第２の通信経路を介した前記サーバとの初回接続時に、予め規定された技能情報を前記サーバに送信する技能情報送信手段と、
前記技能情報送信手段が送信した技能情報に応答して前記サーバから返信される機器ＩＤを、第２の通信経路を介して受信する機器ＩＤ受信手段と、を更に備え、
前記サーバは、
前記オーディオ機器から送られる技能情報を、前記第２の通信経路を介して受信する技能情報受信手段と、
前記技能情報受信手段が受信した技能情報に対応する機器ＩＤを生成する機器ＩＤ生成手段と、
前記機器ＩＤ生成手段が生成した機器ＩＤを、前記第２の通信経路を介して前記オーディオ機器に返信する機器ＩＤ返信手段と、を更に備える、
ことを特徴とする請求項２に記載の情報配信システム。
【請求項４】
第１の通信経路を介して通信装置と接続され、第２の通信経路を介してオーディオ機器と接続されたサーバであって、
前記通信装置から送られる個人情報を、前記第１の通信経路を介して受信する個人情報受信手段と、
前記個人情報受信手段が受信した個人情報に対応する利用者ＩＤ及びパスワードを生成する生成手段と、
前記生成手段が生成した利用者ＩＤ及びパスワードを、前記第１の通信経路を介して前記通信装置に返信する返信手段と、
前記オーディオ機器から送られる機器識別ＩＤ、利用者識別ＩＤ及びパスワードを、前記第２の通信経路を介して受信する情報受信手段と、
前記返信手段が返信した利用者ＩＤ及びパスワードと、前記情報受信手段が受信した利用者識別ＩＤ及びパスワードとの一致を判別し、前記個人情報受信手段が受信した個人情報及び、前記情報受信手段が受信した各情報を本登録済みの情報として記憶する記憶手段と、
を備えることを特徴とするサーバ。
【請求項５】
第１の通信経路を介して通信装置と接続され、第２の通信経路を介してオーディオ機器と接続されたサーバにおけるコンビネーション認証方法であって、
通信装置から送られる個人情報を、第１の通信経路を介して受信する個人情報受信ステップと、
前記個人情報受信ステップにて受信した個人情報に対応する利用者ＩＤ及びパスワードを生成する生成ステップと、
前記生成ステップにて生成した利用者ＩＤ及びパスワードを、第１の通信経路を介して通信装置に返信する返信ステップと、
オーディオ機器から送られる機器識別ＩＤ、利用者識別ＩＤ及びパスワードを、第２の通信経路を介して受信する情報受信ステップと、
前記返信ステップにて返信した利用者ＩＤ及びパスワードと、前記情報受信ステップにて受信した利用者識別ＩＤ及びパスワードとの一致を判別し、前記個人情報受信ステップにて受信した個人情報及び、前記情報受信ステップにて受信した各情報を本登録済みの情報として所定の記憶部に格納する格納ステップと、
を備えることを特徴とするコンビネーション認証方法。
【発明の詳細な説明】
【０００１】
【発明の属する技術分野】
この発明は、情報配信システム、サーバおよびコンビネーション認証方法に関する。
【０００２】
【従来の技術】
近年、ネットワークの高速化や、データ圧縮技術の発展に伴って、楽曲データ等の配信を行う情報配信システムが普及して来ている。このような情報配信システムにおいて、一般に、利用者は、パーソナルコンピュータ（パソコン）を使用してインターネットに接続し、所定の音楽配信サイト等にアクセスする。
例えば、利用者は、パソコンを操作して、アクセス先の音楽配信サイトから所望の楽曲データをパソコンにダウンロードし、その楽曲データをパソコンにて再生する（例えば、特許文献１参照）。
【０００３】
【特許文献１】
特開２００２−７４８１４号公報　（第６−７頁、第１図）
【０００４】
それでも、一般に、パソコンにおける音楽再生は、専用のオーディオ機器と比較して、音質や音量等が不十分なものとなってしまう。そのため、高音質な音楽を聴きたい利用者は、パソコンにダウンロードした楽曲データを、所定の記録媒体に書き込んだ後に、その記録媒体を再生可能なオーディオ機器にて音楽再生することも多い。
【０００５】
けれども、このような作業を頻繁に行うことは、利用者にとって極めて煩雑であった。特に、音楽配信サイトからダウンロードした楽曲データには、適切な著作権保護が図られており、記録媒体への無秩序な書き込み（複製等）が禁止されているため、利用者は、正当な手順を経ないと、オーディオ機器にて音楽再生することができなくなる場合もあった。
【０００６】
また、音楽配信サイトにおいては、ストリーミングと呼ばれ、楽曲データ全て（１曲分等）のダウンロードを待たずに、楽曲データを順次受信しながら再生するタイプの音楽配信が行われている。この場合、パソコンだけで音楽再生が可能となるため、高音質の音楽を聴きたい利用者にとって不満の残るものとなっていた。
【０００７】
これらのような不都合を解消するために、パソコン等を使用せずに、直接、音楽配信サイト等と接続可能なオーディオ機器の開発が待ち望まれていた。
【０００８】
しかしながら、音楽配信サイト等と直接接続可能なオーディオ機器が開発され市販された場合には、このようなオーディオ機器が家電製品として位置付けられ、新たな制約が課せられることとなる。つまり、パソコンと比較して、より一層の利便性が求められると共に、接続時のセキュリティを十分に確保することが必須となる。
これは、利用者がパソコンを使用したことのない場合（不慣れな場合等）を考慮しなければならないことや、悪意のある第三者がパソコン等を悪用して、正当なオーディオ機器になりすまし、音楽配信サイト等に不正にアクセスすることへの対策を考慮する必要があるためである。
【０００９】
このため、音楽配信サイト等にオーディオ機器を直接接続させる情報配信システムにおいては、オーディオ機器と音楽配信サイトとの間において、簡易で、かつ、セキュリティの高い認証が必要であった。
【００１０】
【発明が解決しようとする課題】
この発明は、上記実状に鑑みてなされたもので、簡易で、かつ、セキュリティの高い認証を行うことのできる情報配信システム、サーバおよびコンビネーション認証方法を提供することを目的とする。
【００１１】
【課題を解決するための手段】
上記目的を達成するため、本発明の第１の観点に係る情報配信システムは、
通信装置とサーバとが第１の通信経路を介して接続され、オーディオ機器と該サーバとが第２の通信経路を介して接続された情報配信システムであって、
前記通信装置は、
利用者の個人情報を入力し、入力した個人情報を、前記第１の通信経路を介して前記サーバに送信して仮登録を要求し、応答して前記サーバから返信される利用者識別情報及び暗証情報を受信し、
前記オーディオ機器は、
自己を識別するための機器識別情報を取得し、前記通信装置にて受信された利用者識別情報及び暗証情報を入力し、取得した機器識別情報と、入力した利用者識別情報及び暗証情報とを、前記第２の通信経路を介して前記サーバに送信して本登録を要求し、
前記サーバは、
前記通信装置から送られる個人情報を、前記第１の通信経路を介して受信して仮登録し、受信した個人情報に対応する利用者識別情報及び暗証情報を生成し、生成した利用者識別情報及び暗証情報を、前記第１の通信経路を介して前記通信装置に返信し、前記オーディオ機器から送られる機器識別情報、利用者識別情報及び暗証情報を、前記第２の通信経路を介して受信し、受信した利用者識別情報及び暗証情報と、生成した利用者識別情報及び暗証情報との一致を判別し、仮登録した個人情報を本登録する、
ことを特徴とする。
【００１２】
上記目的を達成するため、本発明の第２の観点に係る情報配信システムは、
通信装置とサーバとが第１の通信経路を介して接続され、オーディオ機器と該サーバとが第２の通信経路を介して接続された情報配信システムであって、
前記通信装置は、
利用者の個人情報を入力する個人情報入力手段と、
前記個人情報入力手段が入力した個人情報を、前記第１の通信経路を介して前記サーバに送信することにより仮登録を要求する個人情報送信手段と、
前記個人情報送信手段が送信した個人情報に応答して前記サーバから返信される利用者ＩＤ及びパスワードを、前記第１の通信経路を介して受信するＩＤ・パスワード受信手段と、を備え、
前記オーディオ機器は、
自己を識別するための機器ＩＤを取得する取得手段と、
前記ＩＤ・パスワード受信手段が受信した利用者ＩＤ及びパスワードを入力するＩＤ・パスワード入力手段と、
前記取得手段が取得した機器ＩＤと、前記ＩＤ・パスワード入力手段が入力した利用者ＩＤ及びパスワードとを、前記第２の通信経路を介して前記サーバに送信することにより本登録を要求する情報送信手段と、を備え、
前記サーバは、
前記個人情報送信手段から送られる個人情報を、前記第１の通信経路を介して受信する個人情報受信手段と、
前記個人情報受信手段が受信した個人情報に対応する利用者ＩＤ及びパスワードを生成する生成手段と、
前記生成手段が生成した利用者ＩＤ及びパスワードを、前記第１の通信経路を介して前記通信装置に返信する返信手段と、
前記情報送信手段から送られる機器ＩＤ、利用者ＩＤ及び、パスワードを、前記第２の通信経路を介して受信する情報受信手段と、
前記情報受信手段が受信した利用者ＩＤ及びパスワードと、前記返信手段が返信した利用者ＩＤ及びパスワードとの一致を判別し、前記個人情報受信手段が受信した個人情報及び、前記情報受信手段が受信した各情報を本登録済みの情報として記憶する記憶手段と、を備える、
ことを特徴とする。
【００１３】
前記オーディオ機器は、
前記第２の通信経路を介した前記サーバとの初回接続時に、予め規定された技能情報を前記サーバに送信する技能情報送信手段と、
前記技能情報送信手段が送信した技能情報に応答して前記サーバから返信される機器ＩＤを、第２の通信経路を介して受信する機器ＩＤ受信手段と、を更に備え、
前記サーバは、
前記オーディオ機器から送られる技能情報を、前記第２の通信経路を介して受信する技能情報受信手段と、
前記技能情報受信手段が受信した技能情報に対応する機器ＩＤを生成する機器ＩＤ生成手段と、
前記機器ＩＤ生成手段が生成した機器ＩＤを、前記第２の通信経路を介して前記オーディオ機器に返信する機器ＩＤ返信手段と、を更に備えてもよい。
【００１４】
上記目的を達成するため、本発明の第３の観点に係るサーバは、
第１の通信経路を介して通信装置と接続され、第２の通信経路を介してオーディオ機器と接続されたサーバであって、
前記通信装置から送られる個人情報を、前記第１の通信経路を介して受信する個人情報受信手段と、
前記個人情報受信手段が受信した個人情報に対応する利用者ＩＤ及びパスワードを生成する生成手段と、
前記生成手段が生成した利用者ＩＤ及びパスワードを、前記第１の通信経路を介して前記通信装置に返信する返信手段と、
前記オーディオ機器から送られる機器識別ＩＤ、利用者識別ＩＤ及びパスワードを、前記第２の通信経路を介して受信する情報受信手段と、
前記返信手段が返信した利用者ＩＤ及びパスワードと、前記情報受信手段が受信した利用者識別ＩＤ及びパスワードとの一致を判別し、前記個人情報受信手段が受信した個人情報及び、前記情報受信手段が受信した各情報を本登録済みの情報として記憶する記憶手段と、
を備えることを特徴とする。
【００１５】
上記目的を達成するため、本発明の第４の観点に係るコンビネーション認証方法は、
第１の通信経路を介して通信装置と接続され、第２の通信経路を介してオーディオ機器と接続されたサーバにおけるコンビネーション認証方法であって、
通信装置から送られる個人情報を、第１の通信経路を介して受信する個人情報受信ステップと、
前記個人情報受信ステップにて受信した個人情報に対応する利用者ＩＤ及びパスワードを生成する生成ステップと、
前記生成ステップにて生成した利用者ＩＤ及びパスワードを、第１の通信経路を介して通信装置に返信する返信ステップと、
オーディオ機器から送られる機器識別ＩＤ、利用者識別ＩＤ及びパスワードを、第２の通信経路を介して受信する情報受信ステップと、
前記返信ステップにて返信した利用者ＩＤ及びパスワードと、前記情報受信ステップにて受信した利用者識別ＩＤ及びパスワードとの一致を判別し、前記個人情報受信ステップにて受信した個人情報及び、前記情報受信ステップにて受信した各情報を本登録済みの情報として所定の記憶部に格納する格納ステップと、
を備えることを特徴とする。
【００１６】
【発明の実施の形態】
本発明の実施の形態にかかる情報配信システムについて、以下図面を参照して説明する。
【００１７】
図１は、この発明の実施の形態に適用される情報配信システムの構成の一例を示す模式図である。図示するように、このシステムは、オーディオ機器１と、通信端末３と、データサーバ５と、から構成される。
なお、オーディオ機器１とデータサーバ５とは、インターネット等のネットワーク９を介して接続されている。また、通信端末３は、図示せぬ無線基地局等を通じてネットワーク９と結ばれ、このネットワーク９を介してデータサーバ５と接続されている。そして、オーディオ機器１及び通信端末３は、同一の利用者によって使用されるものとする。
【００１８】
まず、オーディオ機器１について、図２を参照して説明する。図２は、オーディオ機器１の構成の一例を示すブロック図である。図示するように、オーディオ機器１は、チューナユニット１１と、ＭＤ記録再生ユニット１２と、信号処理部１３と、ネットワークアダプタ１４と、ハードディスク１５と、フラッシュメモリ１６と、計時ユニット１７と、操作部１８と、表示部１９と、制御部２０と、ソース選択部２１と、アンプ２２と、スピーカ２３とを含んで構成される。
【００１９】
チューナユニット１１は、所定のアンテナを介してＡＭ放送やＦＭ放送等を受信する。
ＭＤ（ミニディスク）記録再生ユニット１２は、ＭＤ（記録用ＭＤ）に楽曲データを記録し、また、ＭＤに記録された楽曲データを再生する。
信号処理部１３は、制御部２０から供給される動作命令等に従って、ＭＤ記録再生ユニット１２の記録・再生動作を制御する。
【００２０】
ネットワークアダプタ１４は、例えば、ＬＡＮ（Ｌｏｃａｌ　Ａｒｅａ　Ｎｅｔｗｏｒｋ）カードや高速モデム等からなり、ネットワーク９を介してデータサーバ５との間で必要な情報を送受信する。
なお、ネットワークアダプタ１４には、ユニークなＭＡＣアドレス（Ｍｅｄｉａ　Ａｃｃｅｓｓ　Ｃｏｎｔｒｏｌ　Ａｄｄｒｅｓｓ）等が予め設定されている。
ハードディスク１５は、データサーバ５から配信されて、ネットワークアダプタ１４にて受信された楽曲データ等を記憶する。
【００２１】
フラッシュメモリ１６は、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　ＲＯＭ）等からなり、オーディオ機器１に設定された技能情報（Ｃａｐａｂｉｌｉｔｙｃｏｄｅ）を予め記憶する。この技能情報とは、例えば、カンパニーコード、機種コード、バージョンコード、及び、ユニークコード等からなる。なお、ユニークコードは、ネットワークアダプタ１４に設定されているＭＡＣアドレス等からなる。
また、フラッシュメモリ１６は、データサーバ５等から供給される機器ＩＤ、ユーザＩＤ、及び、パスワード等も記憶する。
そして、フラッシュメモリ１６に記憶されるこれらの機能情報、機器ＩＤ、ユーザＩＤ、及び、パスワード等は、制御部２０により適宜読み出され、オーディオ機器１がネットワーク９を介してデータサーバ５にアクセスする際に、認証等のために使用される。
【００２２】
計時ユニット１７は、クロック回路等からなり、現在日付（年月日）及び、現在時間（時分秒）等を計時する。
操作部１８は、複数のキースイッチやアナログスイッチ等からなり、利用者の操作に従った指示情報を入力して制御部２０に供給する。
表示部１９は、蛍光表示管や液晶表示ユニット等からなり、オーディオ機器１の動作状況等を示すシンボルやメッセージ等を表示する。
【００２３】
制御部２０は、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）及び、ＲＡＭ（Ｒａｎｄｏｍ　Ａｃｃｅｓｓ　Ｍｅｍｏｒｙ）を含んだ１チップマイコン等からなり、オーディオ機器１全体を制御する。
例えば、制御部２０は、利用者に購入されたオーディオ機器１が初めてデータサーバ５と接続する際に（初回接続時に）、フラッシュメモリ１６から読み出した技能情報を、ネットワークアダプタ１４を介してデータサーバ５に送信し、応答してデータサーバ５から送られる機器ＩＤを受信すると、フラッシュメモリ１６に格納する。
また、制御部２０は、通信端末３にて行われる仮登録要求後にデータサーバ５と接続する際に（仮登録後接続時に）、操作部１８を介して利用者に入力されたユーザＩＤ及びパスワードと、フラッシュメモリ１６から読み出した技能情報及び機器ＩＤとを、データサーバ５に送信して本登録を要求する。
【００２４】
ソース選択部２１は、入力切換スイッチ等からなり、チューナユニット１１、ＭＤ記録再生ユニット１２及び、信号処理部１３の何れか１つを入力ソースとして選択する。
アンプ２２は、所定の増幅回路等からなり、ソース選択部２１を介して供給された音声信号を適宜増幅し、増幅した音声信号をスピーカ２３に供給する。
スピーカ２３は、ステレオスピーカ等からなり、アンプ２２にて増幅された音声信号に従って、音声（楽曲音等）を出力する。
【００２５】
次に、通信端末３について、図３を参照して説明する。なお、一例として、通信端末３を携帯電話機とする場合について説明するが、通信端末３は、Ｗｅｂ表示やメールの受信等が可能であれば、携帯電話機に限られず任意である。
図３は、通信端末３の構成の一例を示すブロック図である。図示するように、通信端末３は、アンテナ３１と、無線部３２と、操作部３３と、メモリ３４と、表示部３５と、制御部３６と、ベースバンド３７と、マイク３８と、スピーカ３９と、を含んで構成される。
【００２６】
アンテナ３１は、無線部３２から供給された通信情報（音声データやパケットデータ等）を所定周波数の搬送波に重畳させ、所定の無線基地局等に向けて送信する。また、アンテナ３１は、無線基地局等から送られた通信情報を受信して、無線部３２に供給する。
無線部３２は、アンテナ３１を介して無線基地局等（最終的には、データサーバ５等）との間で、所定の通信情報を送受信する。
操作部３３は、例えば、数字キー（文字キー）、メールキー、及び、Ｗｅｂキー等を含んだ複数の操作キーからなる。
【００２７】
メモリ３４は、ＲＡＭ等からなり、制御部３６によって後述する仮登録要求処理が実行される際に、必要となる情報等を記憶する。
表示部３５は、液晶表示装置等からなり、制御部３６から供給された表示用データに従って、通信端末３の動作状態等を示す文字やキャラクタ等を表示する。
例えば、表示部３５は、通信端末３による仮登録を行う際に、データサーバ５の登録ページの登録フォーム（仮登録時に個人情報を入力するためのフォーム）を表示する。
【００２８】
制御部３６は、１チップマイコン等からなり、通信端末３全体を制御する。
例えば、制御部３６は、無線部３２等を制御し、無線基地局等を通じて、データサーバ５等にアクセスする。そして、仮登録を行う場合に、データサーバ５から登録ページの登録フォーム等を受信し、表示部３５に表示する。その後、利用者により操作部３３が操作され、登録フォームに沿って、住所、氏名、決済機関、及び、メールアドレス等の個人情報が入力されると、これらの個人情報をデータサーバ５に返信して、仮登録を要求する。
【００２９】
ベースバンド３７は、無線部３２が受信した通信情報（音声データ）を復調し、更に音声信号に変換してスピーカ３９に供給する。また、ベースバンド３７は、マイク３８から入力された音声信号を変調し、更に音声データに変換して無線部３２に供給する。
マイク３８は、コンデンサマイク等からなり、利用者から発せられた音声等を、音声信号に変換してベースバンド３７に供給する。
スピーカ３９は、ベースバンド３７から供給される音声信号に従って、音声等を出力する。
【００３０】
次に、データサーバ５について、図４を参照して説明する。図４は、データサーバ５の構成の一例を示すブロック図である。図示するように、データサーバ５は、データベース５０と、処理制御部６１と、エンコード処理ユニット６２と、通信制御部６３とを含んで構成される。
【００３１】
データベース５０は、例えば、コンテンツ管理ＤＢ５１と、機器管理ＤＢ５２と、利用者管理ＤＢ５３とからなる。
コンテンツ管理ＤＢ５１は、楽曲データやアーティスト情報といった楽曲に関するコンテンツを管理するデータベースである。例えば、コンテンツ管理ＤＢ５１は、図５に示すように、コンテンツＩＤ、種別、及び、格納アドレス等の情報を記憶する。
【００３２】
機器管理ＤＢ５２は、利用者により使用されるオーディオ機器１に関する情報を管理するデータベースである。例えば、機器管理ＤＢ５２は、図６に示すように、機器ＩＤ、採番期日、ユーザＩＤ、機種コード、及び、ユニークコード等の情報を記憶する。
なお、機器ＩＤは、オーディオ機器１単位に採番されるユニークな識別情報である。また、採番期日は、機器ＩＤを採番した期日を規定する情報である。そして採番期日にセットされた日から一定期間がいわゆる「お試し期間」となり、例えば、無料にて楽曲データの配信が受けられる。
また、ユーザＩＤは、オーディオ機器１を利用する利用者を特定するための識別情報であり、オーディオ機器１にて本登録が行われた後に、セットされる。つまり、本登録前は、未設定状態となる。
更に、機種コード及びユニークコードは、オーディオ機器１を特定するための情報であり、オーディオ機器１から送られる技能情報からセットされる。
【００３３】
利用者管理ＤＢ５３は、オーディオ機器１を使用する利用者についての情報を管理するデータベースである。例えば、利用者管理ＤＢ５３は、図７に示すように、ユーザＩＤ、パスワード、登録区分、ユーザ名、住所、決済機関、及び、メールアドレス等の情報を記憶する。
なお、登録区分は、仮登録（仮登録状態）及び、本登録（本登録状態）の何れかを規定する情報である。
また、メールアドレスは、通信端末３にて受け取ることのできる電子メールのアドレスを規定する情報である。
【００３４】
図４に戻って、処理制御部６１は、所定のコンピュータユニットからなり、データサーバ５全体を制御する。
例えば、処理制御部６１は、オーディオ機器１からの初回接続時に、通信制御部６３を介して技能情報を受信すると、機器ＩＤを採番してアクセス元のオーディオ機器１に返信する。その際、処理制御部６１は、機器管理ＤＢ５２に新たなレコード（採番した機器ＩＤ等を含んだ新規レコード）を追加する。
また、処理制御部６１は、通信端末３からの仮登録要求時に、通信制御部６３を介して利用者の個人情報等を受信すると、これらの妥当性をチェックした後に、ユーザＩＤ及びパスワードを採番して、アクセス元の通信端末３に向けて電子メールにて返信する。その際、処理制御部６１は、利用者管理ＤＢ５３に新たなレコード（採番したユーザＩＤ等を含む新規レコード）を追加する。
更に、処理制御部６１は、オーディオ機器１からの本登録要求時（仮登録後接続時）に、通信制御部６３を介してユーザＩＤ、パスワード、技能情報、及び、機器ＩＤを受信すると、これらの妥当性をチェックした後に、本登録の完了を示す登録完了情報を、アクセス元のオーディオ機器１に返信する。その際、処理制御部６１は、機器管理ＤＢ５２及び、利用者管理ＤＢ５３に記憶される対象レコードを更新する。
【００３５】
エンコード処理ユニット６２は、楽曲データをオーディオ機器１にて再生可能となるストリームデータ形式に、リアルタイムにエンコードするエンコーダ回路等からなり、供給された楽曲データをストリームデータ（楽曲データ）に順次エンコードする。
なお、エンコード処理ユニット６２によって楽曲データを順次エンコードする代わりに、予め配信用にオーサリングされた楽曲データをコンテンツ管理ＤＢ５１に格納しておいてもよい。
通信制御部６３は、回線制御装置やゲートウェイ装置等からなり、ネットワーク９を介して、データサーバ５とオーディオ機器１との間、及び、データサーバ５と通信端末３との間で必要な情報を送受信する。
【００３６】
以下、この発明の実施の形態にかかる情報配信システムの動作について、図８〜図１１等を参照して説明する。
まず、図８を参照して、利用者に購入されたオーディオ機器１が、ネットワーク９を介してデータサーバ５と最初に接続する際の動作について説明する。図８は、オーディオ機器１（制御部２０）にて実行される初回接続処理及び、データサーバ５（処理制御部６１）にて実行される機器ＩＤ採番処理を説明するためのフローチャートである。
なお、購入時のオーディオ機器１のフラッシュメモリ１６には、予め技能情報だけが記憶されており、機器ＩＤやユーザＩＤ等は未記憶であるものとする。また、初回接続処理は、利用者による操作部１８の操作に応じて開始され、また、機器ＩＤ採番処理は、オーディオ機器１からのアクセスに応答して開始される。
【００３７】
まず、オーディオ機器１の制御部２０は、技能情報を生成して、データサーバ５に向けて送信する（ステップＳ１１）。例えば、制御部２０は、フラッシュメモリ１６に記憶されるカンパニーコード、機種コード、バージョンコード、及び、ユニークコード等からなる情報を読み出して技能情報を生成し、ネットワークアダプタ１４を介してデータサーバ５に送信する。
その後、制御部２０は、送信した技能情報に応答してデータサーバ５から送られる機器ＩＤを受信するまで、後続処理の実行を待機する（ステップＳ１２）。
【００３８】
一方、データサーバ５の処理制御部６１は、オーディオ機器１からのアクセス有りと判別すると（ステップＳ２１）、通信制御部６３を介して、オーディオ機器１から送られた技能情報を受信し、受信した技能情報の妥当性を確認する（ステップＳ２２）。なお、受信した技能情報の妥当性に問題がある場合、処理制御部６１は、後続処理を実行することなく、機器ＩＤ採番処理を終了する。つまり、正当なオーディオ機器１から送られた技能情報であることが確認されないと、機器ＩＤは採番されない。
技能情報の妥当性が確認されると、処理制御部６１は、ユニークな機器ＩＤを採番して、アクセス元のオーディオ機器１に向けて送信する（ステップＳ２３）。
そして、処理制御部６１は、機器管理ＤＢ５２に新規レコードを追加する（ステップＳ２４）。すなわち、処理制御部６１は、図６に示すような機器管理ＤＢ５２に、今回採番した機器ＩＤを含んだ新たなレコードを追加する。この際、追加されるレコードには、機器ＩＤ、採番期日、機種コード、及び、ユニークコードがそれぞれセットされるが、ユーザＩＤは、未設定のままとなる。
【００３９】
機器ＩＤの受信を待機していた制御部２０は、データサーバ５から送られた機器ＩＤを受信すると、受信した機器ＩＤをフラッシュメモリ１６に記憶する（ステップＳ１３）。つまり、データサーバ５にて採番された機器ＩＤが、オーディオ機器１のフラッシュメモリ１６内に記憶されることとなる。以降、オーディオ機器１の識別は、この機器ＩＤにより行われる。
【００４０】
このように、図８の初回接続処理及び、機器ＩＤ採番処理を参照して説明したように、購入後の初回接続時に、オーディオ機器１から技能情報がデータサーバ５に送られ、これに応答してデータサーバ５により採番された機器ＩＤがオーディオ機器１に送られて記憶される。
このため、データサーバ５にて管理していない（採番していない）機器ＩＤを使用して、パソコン等によるアクセスがなされても、それだけで不正アクセスと判別でき、正当なオーディオ機器１とデータサーバ５との間のセキュリティを高めることができる。
【００４１】
次に、図９を参照して、通信端末３とデータサーバ５との間で仮登録を行う仮登録時の動作について説明する。図９は、通信端末３（制御部３６）にて実行される仮登録要求処理及び、データサーバ５（処理制御部６１）にて実行される仮登録受付処理を説明するためのフローチャートである。
なお、仮登録要求処理は、利用者による操作部３３の操作に応じて開始され、また、仮登録受付処理は、通信端末３からのアクセスに応答して開始される。
【００４２】
まず、通信端末３の制御部３６は、データサーバ５の登録ページにアクセスする（ステップＳ３１）。例えば、制御部３６は、操作部３３から入力されるＵＲＬ（Ｕｎｉｆｏｒｍ　Ｒｅｓｏｕｒｃｅ　Ｌｏｃａｔｏｒ）等に従って、データサーバ５にて公開されている登録ページにアクセスする。なお、登録ページには、例えば、仮登録用のフォームが（登録フォーム）含まれているものとする。
【００４３】
一方、データサーバ５の処理制御部６１は、通信端末３からのアクセス有りと判別すると（ステップＳ４１）、登録フォームを含んだ登録ページを通信端末３に送信する（ステップＳ４２）。そして、処理制御部６１は、通信端末３から登録フォームに沿った個人情報等を受信するまで、後続処理の実行を待機する（ステップＳ４３）。
【００４４】
また、制御部３６は、データサーバ５から送られた登録ページを受信して、表示部３５に表示すると、登録フォームに沿ってメールアドレスを含む個人情報を入力し、データサーバ５に仮登録を要求する（ステップＳ３２）。すなわち、制御部３６は、表示部３５に登録フォーム等を表示した状態で、利用者により操作部３３が操作され、登録フォームに沿って、住所、氏名、決済機関、及び、メールアドレス等の個人情報が入力されると、これらの個人情報等をデータサーバ５に返信して、仮登録を要求する。
その後、制御部３６は、送信した個人情報等に応答してデータサーバ５から送られる電子メールを受信するまで、後続処理の実行を待機する（ステップＳ３３）。
【００４５】
一方、処理制御部６１は、通信端末３から個人情報が送られ仮登録が要求されると、個人情報の妥当性を判別した後、ユーザＩＤ及びパスワードを含んだ電子メールを生成し、利用者に指定されたアドレスに向けて送信する（ステップＳ４４）。つまり、処理制御部６１は、仮登録の要求に応答して、ユーザＩＤ及びパスワードを採番し、これらユーザＩＤ等を含んだ電子メールを生成する。そして、受信した個人情報に含まれるメールアドレスに向けて生成した電子メールを送信する。
また、処理制御部６１は、利用者管理ＤＢ５３に新規レコードを追加する（ステップＳ４５）。つまり、処理制御部６１は、図７に示すような利用者管理ＤＢ５３に、今回採番したユーザＩＤ等を含んだ新たなレコードを追加する。この際、追加されるレコードの登録区分には、「仮登録」がセットされる。
【００４６】
電子メールの受信を待機していた制御部３６は、データサーバ５から送られる電子メールを受信すると、受信した電子メールの内容を表示部３５に表示し、利用者に、ユーザＩＤ及びパスワードを報知する（ステップＳ３４）。つまり、制御部３６は、仮登録の要求に応答してデータサーバ５により採番されたユーザＩＤ及びパスワードを、オーディオ機器１の利用者が使用できるように、表示部３５に表示する。
【００４７】
このように、図９の仮登録要求処理及び、仮登録受付処理を参照して説明したように、個人情報を伴う仮登録の要求が通信端末３からデータサーバ５に送られ、これに応答してデータサーバ５により採番されたユーザＩＤ及びパスワードが通信端末３に返信される。
このため、利用者は、オーディオ機器１を使用するために必要な仮登録を迅速に行うことができ、また、通信端末３とデータサーバ５とを結ぶ通信経路によって（つまり、オーディオ機器１とデータサーバ５と結ぶ経路とは異なる通信経路によって）、ユーザＩＤ及びパスワードを比較的安全に取得できる。
【００４８】
次に、図１０を参照して、通信端末３によって仮登録が行われた後に、オーディオ機器１がデータサーバ５と接続する際の動作について説明する。図１０は、オーディオ機器１（制御部２０）にて実行される仮登録後接続処理及び、データサーバ５（処理制御部６１）にて実行される本登録受付処理を説明するためのフローチャートである。
【００４９】
まず、オーディオ機器１の制御部２０は、ユーザＩＤ及びパスワードの入力を促すメッセージを表示部１９に表示する（ステップＳ５１）。そして、利用者は、仮登録を行った通信端末３の表示部３５に表示されたユーザＩＤ及びパスワードを読み取り、操作部１８を操作してこれらを入力する。
制御部２０は、操作部１８から入力されて取得したユーザＩＤ及びパスワードに、技能情報及び機器ＩＤを付加し、これらをデータサーバ５に送信する（ステップＳ５２）。すなわち、操作部１８から入力されたユーザＩＤ及びパスワードと、フラッシュメモリ１６から読み出した技能情報及び機器ＩＤとを、データサーバ５に送信する。
その後、制御部２０は、送信したユーザＩＤ及び機器ＩＤ等に応答してデータサーバ５から送られる登録完了情報を受信するまで、後続処理の実行を待機する（ステップＳ５３）。
【００５０】
一方、データサーバ５の処理制御部６１は、オーディオ機器１からのアクセス有りと判別すると（ステップＳ６１）、通信制御部６３を介してユーザＩＤ、パスワード、技能情報、及び、機器ＩＤを受信する（ステップＳ６２）。
処理制御部６１は、機器管理ＤＢ５２及び、利用者管理ＤＢ５３を検索する（ステップＳ６３）。すなわち、処理制御部６１は、機器ＩＤ等をキーにして機器管理ＤＢ５２を検索し、また、ユーザＩＤ等をキーにして利用者管理ＤＢ５３を検索する。
処理制御部６１は、オーディオ機器１から受信した情報が有効であるか否かを判別する（ステップＳ６４）。つまり、処理制御部６１は、機器管理ＤＢ５２及び利用者管理ＤＢ５３から有効なレコードが検索でき、そして、それらのレコードから本登録前の状態であるか否かを判別する。
処理制御部６１は、オーディオ機器１からの受信情報が有効でないと判別すると、そのまま本登録受付処理を終了する。一方、受信情報が有効であると判別すると、処理制御部６１は、ユーザＩＤ及びパスワード等が含まれる登録完了情報を生成し、生成した登録完了情報をオーディオ機器１に送信する（ステップＳ６５）。
そして、処理制御部６１は、機器管理ＤＢ５２及び、利用者管理ＤＢ５３を更新する（ステップＳ６６）。例えば、処理制御部６１は、図６に示すような機器管理ＤＢ５２における対象レコードのユーザＩＤに、正当なユーザＩＤをセットする。また、図７に示すような利用者管理ＤＢ５３における対象レコードの登録区分に、「本登録」をセットする。
【００５１】
登録完了情報の受信を待機していた制御部２０は、データサーバ５から送られた登録完了情報を受信すると、受信した登録完了情報に含まれるユーザＩＤ及びパスワードをフラッシュメモリ１６に記憶する（ステップＳ５４）。この後、制御部２０は、フラッシュメモリ１６に記憶したユーザＩＤ、パスワード及び、機器ＩＤを伴って、データサーバ５との間で情報の送受信を行う。
【００５２】
このように、図１０の仮登録後接続処理及び、本登録受付処理を参照して説明したように、仮登録後の接続時に、通信端末３に送られたユーザＩＤ及びパスワード等が使用され、オーディオ機器１からデータサーバ５に対して本登録の要求が行われる。つまり、オーディオ機器１とデータサーバ５とを結ぶ経路とは異なる通信経路によって送られたユーザＩＤ及びパスワードが、本登録に使用されることになる。
このため、仮登録を行った正当な利用者によって、オーディオ機器１から本登録が行われたことが明らかとなり、実際に使用されるオーディオ機器１とデータサーバ５との間のセキュリティを高めることができる。
【００５３】
次に、図１１を参照して、本登録が行われた後に、オーディオ機器１がデータサーバ５と接続する際の動作について説明する。図１１は、オーディオ機器１（制御部２０）にて実行される本登録後接続処理及び、データサーバ５（処理制御部６１）にて実行される認証処理を説明するためのフローチャートである。
【００５４】
まず、オーディオ機器１の制御部２０は、操作部１８を介して利用者により接続指示がなされるまで、後続処理の実行を待機する（ステップＳ７１）。そして、接続指示がなされると、制御部２０は、フラッシュメモリ１６に記憶した技能情報、機器ＩＤ、ユーザＩＤ、及び、パスワードを、データサーバ５に送信する（ステップＳ７２）。
その後、制御部２０は、送信した機器ＩＤ及びユーザＩＤ等に応答してデータサーバ５から送られる認証済情報を受信するまで、後続処理の実行を待機する（ステップＳ７３）。
【００５５】
一方、データサーバ５の処理制御部６１は、オーディオ機器１からのアクセス有りと判別すると（ステップＳ８１）、通信制御部６３を介してユーザＩＤ、パスワード、技能情報、及び、機器ＩＤを受信する（ステップＳ８２）。
処理制御部６１は、機器ＩＤ等をキーにして機器管理ＤＢ５２を検索し、また、ユーザＩＤ等をキーにして利用者管理ＤＢ５３を検索する（ステップＳ８３）。
処理制御部６１は、オーディオ機器１から受信した情報の妥当性が確認され、オーディオ機器１による本登録が完了しているか否かを判別する（ステップＳ８４）。例えば、処理制御部６１は、機器管理ＤＢ５２から検索したレコードのユーザＩＤと、利用者管理ＤＢ５３から検索したレコードのユーザＩＤとが一致することや、利用者管理ＤＢ５３から検索したレコードの登録区分が「本登録」となっていること等を確認し、本登録済みであるか否かを判別する。
処理制御部６１は、本登録済みでないと判別すると、そのまま認証処理を終了する。一方、本登録済みであると判別すると、処理制御部６１は、認証済情報を生成してオーディオ機器１に送信する（ステップＳ８５）。
【００５６】
認証済情報の受信を待機していた制御部２０は、データサーバ５から送られた認証済情報を受信すると、利用者による操作部１８の操作に従って、音楽配信等のサービス提供をデータサーバ５に要求する（ステップＳ７４）。
一方、処理制御部６１は、要求に応じたサービスを提供すると共に、課金処理等を行う（ステップＳ８６）。なお、課金処理に際して、処理制御部６１は、機器管理ＤＢ５２から検索されたレコードの採番期日を基準とした一定期間（お試し期間）が考慮されて課金処理がなされる。また、決済機関の審査が未了である場合に、利用者への請求書の作成等も併せて行われる。
【００５７】
このように、図１１の本登録後接続処理及び、認証処理を参照して説明したように、本登録後の接続においては、オーディオ機器１からデータサーバ５に対して、ユーザＩＤ、パスワード及び、機器ＩＤ等が自動的に送信され、認証が行われる。
このため、利用者は、接続指示を行うだけでオーディオ機器１がデータサーバ５と接続可能となり、所望の楽曲データの配信サービス等を受けることができる。また、ユーザＩＤ及びパスワードが、オーディオ機器１とデータサーバ５とを結ぶ経路とは異なる通信経路によって取得したものであるため、オーディオ機器１とデータサーバ５との間のセキュリティを高めることができる。
この結果、簡易で、かつ、セキュリティの高い認証を行うことができる。
【００５８】
上記の実施の形態では、通信端末３からデータサーバ５に個人情報を送信し、応答してデータサーバ５から送られるユーザＩＤ及びパスワードを電子メールにて受信する場合について説明したが、個人情報を送信する手法及び、ユーザＩＤ及びパスワードを受信する手法は、任意である。
【００５９】
また、上記の実施の形態では、データサーバ５にて、利用者の個人情報を管理し、決済等の管理も行う場合について説明したが、これらの管理をＩＳＰ（Ｉｎｔｅｒｎｅｔ　Ｓｅｒｖｉｃｅ　Ｐｒｏｖｉｄｅｒ）にて行うようにしてもよい。
以下、ＩＳＰを中継してオーディオ機器１とデータサーバ５とを接続する情報配信システムについて簡単に説明する。
【００６０】
図１２は、この発明の他の実施の形態に適用される情報配信システムの構成の一例を示す模式図である。図示するように、このシステムは、オーディオ機器１と、データサーバ５と、ＩＳＰ７とから構成される。
なお、オーディオ機器１は、ＩＳＰ７を経由してネットワーク９と結ばれ、このネットワーク９を介してデータサーバ５と接続されている。
また、オーディオ機器１及び、データサーバ５の構成は、上述した図２及び、図４に示す構成とほぼ同様である。
【００６１】
ＩＳＰ７は、例えば、オーディオ機器１からのダイヤルアップ接続を受けて、オーディオ機器１を認証し、自己をゲートウェイとして、オーディオ機器１とデータサーバ５とを接続する。
なお、オーディオ機器１を使用する利用者の個人情報等は、予めＩＳＰ７に登録されているものとし、ＩＳＰ７にてオーディオ機器１の認証に必要なＩＳＰ用のユーザＩＤ及び、パスワードは、正当な利用者に通知されているものとする。
【００６２】
以下、この発明の他の実施の形態にかかる情報配信システムの動作について、図１３を参照して説明する。なお、上述の図８に示した初回接続処理及び、機器ＩＤ採番処理は、既に実行されて完了しているものとする。
図１３は、オーディオ機器１（制御部２０）にて実行されるＩＳＰ接続処理及び、データサーバ５（処理制御部６１）にて実行される認証処理を説明するためのフローチャートである。
【００６３】
まず、オーディオ機器１の制御部２０は、ＩＳＰ用のユーザＩＤ及び、パスワードの入力を促すメッセージを表示部１９に表示する（ステップＳ９１）。そして、利用者は、操作部１８を操作してＩＳＰ用のユーザＩＤ及び、パスワードを入力する。
制御部２０は、操作部１８から入力されたＩＳＰ用のユーザＩＤ及びパスワードをＩＳＰ７に送信する（ステップＳ９２）。そして、ＩＳＰ７にて認証されると、ＩＳＰ７がゲートウェイとなり、オーディオ機器１とデータサーバ５とが接続される。
制御部２０は、フラッシュメモリ１６から技能情報及び、機器ＩＤを読み出し、データサーバ５に送信する（ステップＳ９３）。
その後、制御部２０は、送信した機器ＩＤ等に応答してデータサーバ５から送られる認証済情報を受信するまで、後続処理の実行を待機する（ステップＳ９４）。
【００６４】
一方、データサーバ５の処理制御部６１は、ＩＳＰ７を介したオーディオ機器１からのアクセス有りと判別すると（ステップＳ１０１）、通信制御部６３を介して技能情報及び、機器ＩＤを受信する（ステップＳ１０２）。
処理制御部６１は、機器ＩＤ等をキーにして機器管理ＤＢ５２を検索する（ステップＳ１０３）。
処理制御部６１は、オーディオ機器１から受信した情報の妥当性が確認され、オーディオ機器１の登録が完了しているか否かを判別する（ステップＳ１０４）。例えば、処理制御部６１は、機器管理ＤＢ５２から検索されたレコードの機種コードやユニークコードが、ステップＳ１０２にて受信した技能情報に含まれていること等から、オーディオ機器１が登録済みであるか否かを判別する。
処理制御部６１は、登録済みでないと判別すると、そのまま認証処理を終了する。一方、登録済みであると判別すると、処理制御部６１は、認証済情報を生成してオーディオ機器１に送信する（ステップＳ１０５）。
【００６５】
認証済情報の受信を待機していた制御部２０は、データサーバ５から送られた認証済情報を受信すると、利用者による操作部１８の操作に従って、音楽配信等のサービス提供をデータサーバ５に要求する（ステップＳ９５）。
一方、処理制御部６１は、要求に応じたサービスを提供すると共に、課金処理等を行う（ステップＳ１０６）。なお、課金処理に際して、処理制御部６１は、課金情報をＩＳＰ７に送信し、決済を依頼する。
【００６６】
このように、図１３のＩＳＰ接続処理及び、認証処理を参照して説明したように、ＩＳＰ７にて認証が行われた後に、データサーバ５にて機器ＩＤ等の確認が行われる。
このため、利用者は、ＩＳＰ７との接続に必要なＩＳＰ用の利用者ＩＤ及びパスワードをオーディオ機器１に入力することだけでデータサーバ５と接続可能となり、所望の楽曲データの配信サービス等を受けることができる。また、利用者の個人情報等がデータサーバ５にて管理されないため、オーディオ機器１とデータサーバ５との間のセキュリティを高めることができる。
この結果、簡易で、かつ、セキュリティの高い認証を行うことができる。
【００６７】
上記の実施の形態では、データサーバ５が楽曲データを配信する場合について説明したが、配信対象となるデータは、楽曲データに限られず任意である。例えば、データサーバ５が映像データや画像データを配信してもよい。
【００６８】
【発明の効果】
以上説明したように、本発明によれば、簡易で、かつ、セキュリティの高い認証を行うことができる。
【図面の簡単な説明】
【図１】本発明の実施の形態に係る情報配信システムの構成の一例を示す模式図である。
【図２】オーディオ機器の構成の一例を示すブロック図である。
【図３】通信端末の構成の一例を示すブロック図である。
【図４】データサーバの構成の一例を示すブロック図である。
【図５】コンテンツ管理ＤＢの具体的な内容の一例を示す模式図である。
【図６】機器管理ＤＢの具体的な内容の一例を示す模式図である。
【図７】利用者管理ＤＢの具体的な内容の一例を示す模式図である。
【図８】本発明の実施の形態に係る初回接続処理及び、機器ＩＤ採番処理を説明するためのフローチャートである。
【図９】本発明の実施の形態に係る仮登録要求処理及び、仮登録受付処理を説明するためのフローチャートである。
【図１０】本発明の実施の形態に係る仮登録後接続処理及び、本登録受付処理を説明するためのフローチャートである。
【図１１】本発明の実施の形態に係る本登録後接続処理及び、認証処理を説明するためのフローチャートである。
【図１２】本発明の他の実施の形態に係る情報配信システムの構成の一例を示す模式図である。
【図１３】本発明の他の実施の形態に係るＩＳＰ接続処理及び、認証処理を説明するためのフローチャートである。
【符号の説明】
１　　オーディオ機器
１１　チューナユニット
１２　ＭＤ記録再生ユニット
１３　信号処理部
１４　ネットワークアダプタ
１５　ハードディスク
１６　フラッシュメモリ
１７　計時ユニット
１８　操作部
１９　表示部
２０　制御部
２１　ソース選択部
２２　アンプ
２３　スピーカ
３　　通信端末
３１　アンテナ
３２　無線部
３３　操作部
３４　メモリ
３５　表示部
３６　制御部
３７　ベースバンド
３８　マイク
３９　スピーカ
５　　データサーバ
５０　データベース
５１　コンテンツ管理ＤＢ
５２　機器管理ＤＢ
５３　利用者管理ＤＢ
６１　処理制御部
６２　エンコード処理ユニット
６３　通信制御部
７　　ＩＳＰ
９　　ネットワーク
【図１】
2004126267.tif 000003
【図２】
2004126267.tif 000004
【図３】
2004126267.tif 000005
【図４】
2004126267.tif 000006
【図５】
2004126267.tif 000007
【図６】
2004126267.tif 000008
【図７】
2004126267.tif 000009
【図８】
2004126267.tif 000010
【図９】
2004126267.tif 000011
【図１０】
2004126267.tif 000012
【図１１】
2004126267.tif 000013
【図１２】
2004126267.tif 000014
【図１３】
2004126267.tif 000015